(57)【要約】      （修正有）【課題】ディスプレイユニット上におけるポインタの移動を効果的に制御するためのコンピュータプログラム、マッピングシステム及び方法を提供する。【解決手段】位置指示装置によって指示されたタブレット上の入力位置に対応する位置データをディスプレイに表示するための位置データに変換し、ディスプレイの画面上に位置指示操作に応じた描画を行う描画制御を実行する。そして、タブレット上での位置指示操作に応じた描画が、位置指示装置がタブレット上で入力位置を指示しているときに、第１のスケーリング関係とこれと異なる第２のスケーリング関係を切り替える入力によって切り替えられたスケーリング関係に対応して、位置指示装置によって指示されたタブレット上の入力位置に対応するディスプレイの画面上の位置の周辺に形成されるように、ディスプレイの画面上の位置の座標データに変換される座標変換を実行する。【選択図】図４
2014099200.tif 000002
【特許請求の範囲】
【請求項１】
位置指示装置と、前記位置指示装置によって指示された位置を検知するタブレットと、前記タブレットで検知された位置に対応した表示が行われるディスプレイを備えるシステムにて、前記タブレットで検知された位置を前記ディスプレイの画面上の位置に座標変換してマッピングするコンピュータ可読コードをコンピュータに実行させるプログラムであって、
前記位置指示装置によって指示されたタブレット上の入力位置に対応する位置データを前記ディスプレイに表示するための位置データに変換して前記ディスプレイの画面上に前記位置指示装置による位置指示操作に応じた描画を行う描画制御を実行するとともに、
前記タブレット上での前記位置指示装置による位置指示操作に応じた前記描画が、前記位置指示装置がタブレット上で入力位置を指示しているときに第１のスケーリング関係と前記第１のスケーリング関係とは異なる第２のスケーリング関係を切り替える入力によって切り替えられたスケーリング関係に対応して前記位置指示装置によって指示されたタブレット上の前記入力位置に対応する前記ディスプレイの画面上の位置の周辺に形成されるように、前記ディスプレイの画面上の位置の座標データに変換される座標変換を実行するようにしたことを特徴とするコンピュータ可読コードをコンピュータに実行させるプログラム。
【請求項２】
前記位置指示装置を操作することで前記第１のスケーリング関係及び前記第１のスケーリング関係とは異なる前記第２のスケーリング関係を切り替える入力が行われることを特徴とする、請求項１に記載のコンピュータ可読コードをコンピュータに実行させるプログラム。
【請求項３】
前記タブレットを操作することで前記第１のスケーリング関係及び前記第１のスケーリング関係とは異なる前記第２のスケーリング関係を切り替える入力が行われることを特徴とする、請求項１に記載のコンピュータ可読コードをコンピュータに実行させるプログラム。
【請求項４】
位置指示装置と、前記位置指示装置によって指示された位置を検知するタブレットと、前記タブレットで検知された位置に対応した表示が行われるディスプレイと、前記タブレットで検知された位置を前記ディスプレイの画面上の位置に座標変換してマッピングするコンピュータ可読コードを実行するコンピュータを備えたマッピングシステムであって、
前記位置指示装置によって指示されたタブレット上の入力位置に対応する位置データを前記ディスプレイに表示するための位置データに変換して前記ディスプレイの画面上に前記位置指示装置による位置指示操作に応じた描画を行う描画制御を実行するとともに、
前記タブレット上での前記位置指示装置による位置指示操作に応じた前記描画が、前記位置指示装置がタブレット上で入力位置を指示しているときに第１のスケーリング関係と前記第１のスケーリング関係とは異なる第２のスケーリング関係を切り替える入力によって切り替えられたスケーリング関係に対応して前記位置指示装置によって指示されたタブレット上の前記入力位置に対応する前記ディスプレイの画面上の位置の周辺に形成されるように、前記ディスプレイの画面上の位置の座標データに変換される座標変換を実行するようにしたことを特徴とするマッピングシステム。
【請求項５】
前記位置指示装置を操作することで前記第１のスケーリング関係及び前記第１のスケーリング関係とは異なる前記第２のスケーリング関係を切り替える入力が行われることを特徴とする、請求項４に記載のマッピングシステム。
【請求項６】
前記タブレットを操作することで前記第１のスケーリング関係及び前記第１のスケーリング関係とは異なる前記第２のスケーリング関係を切り替える入力が行われることを特徴とする、請求項４に記載のマッピングシステム。
【請求項７】
位置指示装置によって指示された位置がタブレットによって検知され、前記タブレットによって検知された位置がディスプレイの画面上の位置に座標変換されて表示されるマッピング方法であって、
前記位置指示装置によって指示されたタブレット上の入力位置に対応する位置データを前記ディスプレイに表示するための位置データに変換して前記ディスプレイの画面上に前記位置指示装置による位置指示操作に応じた描画を行う描画制御を実行するとともに、
前記タブレット上での前記位置指示装置による位置指示操作に応じた前記描画が、前記位置指示装置がタブレット上で入力位置を指示しているときに第１のスケーリング関係と前記第１のスケーリング関係とは異なる第２のスケーリング関係を切り替える入力によって切り替えられたスケーリング関係に対応して前記位置指示装置によって指示されたタブレット上の前記入力位置に対応する前記ディスプレイの画面上の位置の周辺に形成されるように、前記ディスプレイの画面上の位置の座標データに変換される座標変換を実行するようにしたことを特徴とするマッピング方法。
【請求項８】
位置指示装置によって指示された位置がタブレットによって検知され、前記タブレットによって検知された位置がディスプレイの画面上の位置に座標変換されて表示される位置表示方法であって、
前記位置指示装置によって指示されたタブレット上の入力位置に対応する位置データを前記ディスプレイに表示するための位置データに変換して前記ディスプレイの画面上に前記位置指示装置による位置指示操作に応じた描画を行う描画制御を実行するとともに、
前記タブレット上での前記位置指示装置による位置指示操作に応じた前記描画が、前記位置指示装置がタブレット上で入力位置を指示しているときに第１のスケーリング関係と前記第１のスケーリング関係とは異なる第２のスケーリング関係を切り替える入力によって切り替えられたスケーリング関係に対応して前記位置指示装置によって指示されたタブレット上の前記入力位置に対応する前記ディスプレイの画面上の位置の周辺に形成されるように、前記ディスプレイの画面上の位置の座標データに変換される座標変換を実行するようにしたことを特徴とする位置表示方法。
【発明の詳細な説明】
【技術分野】
【０００１】
本発明は、グラフィックタブレットの位置データを関連ディスプレイにマッピングするマッピングシステム、マッピング方法、位置表示方法及びコンピュータ可読コードをコンピュータに実行させるプログラムに関する。
【背景技術】
【０００２】
グラフィックタブレットまたはデジタイザタブレットは、コンピュータシステム上で描画またはナビゲートするために用いられるコンピュータ周辺機器である。グラフィックタブレットは通常、平坦な検知領域および、通常はペン状またはマウス状の関連ツールを含んでいる。これらのタブレットはＸおよびＹ座標位置、並びにペン先の圧力、ペンの傾斜、マウスボタン、マウスの回転等、他のパラメータを測定する。各種の技術を用いてグラフィックタブレットを実現することができる。一つの例示的な技術として電気抵抗を用いるものがあり、導電性シート全体にわたり電圧比を測定して位置を決定する。別の例示的な技術は電磁気を用いるものであり、一連の誘導コイル全体にわたり信号強度を補間することにより位置を検出する。音または光波の三角化、タブレットの角に加えられた力の測定、電界歪の測定等を含む他の各種の技術が利用できる。これらの技術により検知される位置の解像度は通常０．０２５mm以上である。
【０００３】
タブレットからの位置情報は、ナビゲーション中にディスプレイ上のポインタを移動させたり、描画操作中に「仮想インク」をディスプレイ上に描いたりするために用いる場合が最も多い。ディスプレイの解像度はタブレットよりもはるかに低い（１ピクセル当たり約０．２５mm）ため、タブレットとディスプレイの関係を確立するために座標変換が必要である。デフォルト変換は通常、タブレットの幅全体がコンピュータシステムデスクトップ（デスクトップとはタイル状に配列された１個以上のモニタの集まりである）の幅全体に合うようにタブレット座標を縮尺する。タブレットの高さ全体は通常、デスクトップの高さ全体に合わせて縮尺される。
【発明の開示】
【発明が解決しようとする課題】
【０００４】
大型デスクトップの形成に用いる多数のモニタを備えたシステムが普及しつつある。小型の不透明なデジタイザタブレットの場合、小型のデジタイザタブレットを２個以上のモニタ、または一個の大型モニタの全体にマッピングすると、物理的縮尺に大きな差が生じるため、ごくわずかな手の移動が画面上で大幅な移動になる。例えば、デュアル１９インチモニタにマッピングされた４×５インチのタブレットの場合、タブレット上での１インチの移動が、モニタ上では約６インチの移動になる。この構成では、ユーザーがデスクトップ上で正確な量の移動を実現することは困難である。
【課題を解決するための手段】
【０００５】
本発明は、位置指示装置と、位置指示装置によって指示された位置を検知するタブレットと、タブレットで検知された位置に対応した表示が行われるディスプレイを備えるシステムにて、タブレットで検知された位置をディスプレイの画面上の位置に座標変換してマッピングするコンピュータ可読コードをコンピュータに実行させるプログラムである。
このプログラムでは、位置指示装置によって指示されたタブレット上の入力位置に対応する位置データをディスプレイに表示するための位置データに変換してディスプレイの画面上に位置指示装置による位置指示操作に応じた描画を行う描画制御をコンピュータに実行させる。
そして、このタブレット上での位置指示装置による位置指示操作に応じた描画が、位置指示装置がタブレット上で入力位置を指示しているときに第１のスケーリング関係と、第１のスケーリング関係とは異なる第２のスケーリング関係を切り替える入力によって切り替えられたスケーリング関係に対応して、位置指示装置によって指示されたタブレット上の入力位置に対応するディスプレイの画面上の位置の周辺に形成されるように、ディスプレイの画面上の位置の座標データに変換される座標変換をコンピュータに実行させることを特徴とする
【０００６】
また、本発明は、位置指示装置と、位置指示装置によって指示された位置を検知するタブレットと、タブレットで検知された位置に対応した表示が行われるディスプレイと、タブレットで検知された位置をディスプレイの画面上の位置に座標変換してマッピングするためのコンピュータ可読コードを実行するコンピュータを備えたマッピングシステムである。
このマッピングシステムにおいては、コンピュータは、位置指示装置によって指示されたタブレット上の入力位置に対応する位置データを、ディスプレイに表示するための位置データに変換してディスプレイの画面上に位置指示装置による位置指示操作に応じた描画を行う描画制御を実行する。
更に、コンピュータは、タブレット上での位置指示装置による位置指示操作に応じた描画が、位置指示装置がタブレット上で入力位置を指示しているときに第１のスケーリング関係とこの第１のスケーリング関係とは異なる第２のスケーリング関係を切り替える入力によって切り替えられたスケーリング関係に対応して、位置指示装置によって指示されたタブレット上の入力位置に対応するディスプレイの画面上の位置の周辺に形成されるように、ディスプレイの画面上の位置の座標データに変換される座標変換を実行する。
【０００７】
また、本発明は、位置指示装置によって指示された位置がタブレットによって検知され、このタブレットによって検知された位置がディスプレイの画面上の位置に座標変換されて表示されるマッピング方法である。
本発明のマッピング方法によれば、位置指示装置によって指示されたタブレット上の入力位置に対応する位置データをディスプレイに表示するための位置データに変換してディスプレイの画面上に前記位置指示装置による位置指示操作に応じた描画を行う描画制御が実行される。
そして、このタブレット上での位置指示装置による位置指示操作に応じた描画が、位置指示装置がタブレット上で入力位置を指示しているときに第１のスケーリング関係とこの第１のスケーリング関係とは異なる第２のスケーリング関係を切り替える入力によって切り替えられたスケーリング関係に対応して、位置指示装置によって指示されたタブレット上の入力位置に対応するディスプレイの画面上の位置の周辺に形成されるように、ディスプレイの画面上の位置の座標データに変換される座標変換が実行される。
【０００８】
また、本発明は、位置指示装置によって指示された位置がタブレットによって検知され、このタブレットによって検知された位置がディスプレイの画面上の位置に座標変換されて表示される位置表示方法である。
本発明の位置表示方法によれば、位置指示装置によって指示されたタブレット上の入力位置に対応する位置データを、ディスプレイに表示するための位置データに変換してディスプレイの画面上に位置指示装置による位置指示操作に応じた描画を行う描画制御が実行される。
そして、タブレット上での位置指示装置による位置指示操作に応じた描画が、位置指示装置がタブレット上で入力位置を指示しているときに第１のスケーリング関係とこの第１のスケーリング関係とは異なる第２のスケーリング関係を切り替える入力によって切り替えられたスケーリング関係に対応して位置指示装置によって指示されたタブレット上の入力位置に対応するディスプレイの画面上の位置の周辺に形成されるように、ディスプレイの画面上の位置の座標データに変換される座標変換が実行される。
【図面の簡単な説明】
【０００９】
【図１】本発明の一実施形態によるデジタイザシステムを例示するブロック図である。
【図２】本発明の別の実施形態による、図１のマッピングユニットのマッピング動作    を例示する。
【図３】本発明の別の実施形態による、デジタイザタブレットおよび位置指示装置の    透視図である。
【図４】本発明の別の実施形態による、デジタイザタブレットの位置データをディス    プレイ画面の位置データにマッピングする方法を示すフロー図である。
【発明を実施するための最良の形態】
【００１０】
以下に、添付の図面に示す本発明の実施形態について詳述する。図面全体を通じて、同一参照符号は同一または対応部材を示す。しかし、本発明がより広い態様において、好適な実施形態に関して本節で図示および記述する具体的な詳細事項、代表的な装置や方法、および実施例に限定されない点に注意されたい。各種の態様による本発明は、本明細書に即して読み取れる添付の請求項および相当の均等物に特に示され明確に権利請求される。
【００１１】
グラフィックタブレットの中には、本明細書でマッピングと呼ぶタブレットとデスクトップの関係をユーザーがある程度自由に設定できるコントロールパネルを提供するものがある。ユーザーは、マッピングに使用すべくタブレット全体よりも小さい部分を選択するオプションが与えられる。ユーザーはタブレット上で使用する領域を、図形、数値、または選択肢により、選ぶことができる。同様に、ユーザーは往々にして、タブレット領域がマッピングされるデスクトップの部分を選択するオプションが与えられる。これは、複数のモニタまたは画面の中から特定のモニタ画面を選択することにより、あるいはマッピングに使用するデスクトップのある領域を図形、または数値により選択することにより実現できる。ユーザーが現在の設定を変えたい場合、マッピングを変えるためにＧＵＩ内のコントロールパネルにアクセスしてコントロールパネルと対話しなければならない。コントロールパネルへのアクセスは通常、例えばコントロールパネルの選択、機能の選択、各種パラメータの選択等を含む複数の選択コマンドを必要とする。
【００１２】
ワコムコンピュータ（Wacom Computer）社がクイックポイント（「Quick Point」）モードのマッピングを備えた製品を提供している。このソフトウェアは、２個の所定タブレット領域を１個のディスプレイ領域にマッピングする。一方の領域は、小幅な手の移動で広いディスプレイ領域をカバーできるように、小さい領域が選択されている。もう一方の領域は、詳細な描画または図形位置決め／移動を可能にすべく大きい領域が選択されている。クイックポイントモードは所定の２重クイックポイント領域と単一のタブレット領域の間で切替えられ、タブレットメニュー項目または画面メニューを介してオン／オフ切替えが可能である。
【００１３】
上述のマッピング機能ではユーザーがコントロールパネル、ダイアログボックス、および／またはタブレットメニューにアクセスして、複数の選択コマンドを介して設定を変える必要があるのと異なり、本発明の実施形態は、「オンザフライ」すなわちタブレットおよびディスプレイがリアルタイムに動作する間に、ユーザーがタブレットとデスクトップの間のマッピングを容易に変更できるようにする。従って、ユーザーの描画または図形位置決め／移動がマッピングの変更により中断されず、ユーザーはマッピングを変更しながら、描画すること、および／またはデジタイザ／グラフィックスアプリケーションを使用することができる。
【００１４】
図１に最も良く示すように、本発明の一実施形態によるデジタイザシステム２は、位置入力を検知するタブレット４、特にポインタ８（図２参照）を表示するディスプレイユニット６、タブレット４とディスプレイユニット６とのスケーリング関係に基づいてタブレット４からの位置データをディスプレイユニット６のための位置データにマッピングするマッピングユニット１０、およびタブレット４とディスプレイユニット６とのスケーリング関係を切替える入力装置１２を含んでいる。
【００１５】
タブレット４はデジタイザタブレットであり、グラフィックデザインその他のアプリケーションに用いることができる。タブレット４は、ワコムデジタイザタブレット、例えば、米国特許第７，００５，８４３号、米国特許第６，９３０，６７４号、米国特許第６，８１０，３５１号、米国特許第５，８９８，１３６号、または米国特許第５，６４４，１０８号に開示されているタブレットであってよく、これらの米国特許の全文は、参照することにより本明細書の一部を構成している。
【００１６】
図３に最も良く示すように、タブレット４は、タブレット検知面１６の上また近傍で入力動作を行う位置指示装置１４と関連付けられていてよい。タブレット４は、タブレット４内で定義されたＸ−Ｙ座標格子に沿った位置入力を検知すべくタブレット検知面１６の下に配置された複数の検知素子（図示せず）を有する。これらの検知素子は、タブレット検知面１６上の入力位置に対応する位置データを生成する。
【００１７】
マッピングユニット１０は、タブレット４のＸ−Ｙ座標格子で表わされた入力位置に対応する位置データを、Ｘ−Ｙピクセル座標格子で表わされたディスプレイユニット６向けの位置データに変換する。入力装置１２はマッピングユニット１０を制御してスケーリング関係を切替える。この変換に基づいて、図３に示すタブレット検知面１６での入力位置および／または動きを図２に示すポインタ８によりディスプレイユニット６上に表わすことができる。
【００１８】
マッピングユニット１０は、タブレット４のＸ−Ｙ座標格子をディスプレイユニット６のＸ−Ｙピクセル座標格子に合わせるように上述の変換を行うことができる。この場合、タブレット４のＸ−Ｙ座標格子とディスプレイユニット６のＸ−Ｙピクセル座標格子との間の倍率が小さいため、タブレット４上の小幅な移動がディスプレイユニット６上で大きな移動となる。この変換を行う場合、マッピングユニット１０は第１のスケーリング関係を用いて粗位置決め／移動モードで動作する。このモードにおいて、タブレット４に沿った移動により、図２に示すポインタ８の、ディスプレイユニット６のＸ−Ｙピクセル座標格子内における任意の場所への移動が生じる。
【００１９】
マッピングユニット１０はまた、タブレット４のＸ−Ｙ座標格子をディスプレイユニット６のＸ−Ｙピクセル座標格子内のより小さい領域にマッピングして、より小さいＸ−Ｙピクセル座標格子を画定することができる。この場合、タブレット４のＸ−Ｙ座標格子とディスプレイユニット６のＸ−Ｙピクセル座標格子との間の倍率が大きいため、タブレット４上での大幅な移動がディスプレイユニット６のＸ−Ｙピクセル座標格子上での小幅な移動になる。この変換を行う場合、マッピングユニット１０は第２のスケーリング関係を用いて精密位置決め／移動モードで動作する。このモードにおいて、タブレット４に沿った移動により、ディスプレイユニット６の領域よりも小さい移動ウインドウを画定する、より小さいＸ−Ｙピクセル座標格子内の任意の場所への移動が生じる。
【００２０】
図２の左側に、マッピングユニット１０が第１のスケーリング関係を用いて粗位置決め／移動モードで動作する場合のディスプレイユニット６およびタブレット４を示す。図２の右側もまた、マッピングユニット１０が第２のスケーリング関係を用いて精密位置決め／移動モードで動作する場合のディスプレイユニット６およびタブレット４を示す。ディスプレイユニット６は、ポインタ８が表示された画面２２を含んでいる。小さい倍率に対応づけられた粗位置決め／移動モードにおいて、ポインタ８は、タブレット４のＸ−Ｙ座標格子が画面２２全体のＸ−Ｙピクセル座標格子に合っているので、画面２２上で自由に移動可能である。従って、このモードではタブレット４に沿った位置指示装置１４の小幅な移動で画面２２上でのポインタ８の大幅な移動が生じる。
【００２１】
一方、大きい倍率に対応づけられた精密位置決め／移動モードにおいて、ポインタ８は第２のスケーリング関係により画定されるサイズを有する移動ウインドウ２４を自由に移動可能である。画面２２内の移動ウインドウ２４の位置は、位置決め／移動モードが切替わる際の画面２２上におけるポインタ８の現在位置により決められる。すなわち、入力装置１２がマッピングユニット１０の動作モードを切替える際に、ポインタ８は画面２２上の同じ位置に留まり、マッピングユニット１０はポインタ８の現在位置の周辺に移動ウインドウを画定する。このように、ポインタ８を画面２２上のおおよその領域へ移動させ、次いで画面２２上の正確な場所へ精密に位置を合わせたり移動させることができる。
【００２２】
特に、デスクトップスペースを最大化すべく複数の画面を用いている場合、タブレット４のＸ−Ｙ座標格子がデスクトップスペース全体のＸ−Ｙピクセル座標格子に合わされている場合にはタブレット４上の小幅な移動がデスクトップスペース上の大幅な移動になる。しかし、本発明によりユーザーは、タブレット４のＸ−Ｙ座標格子がデスクトップスペースのＸ−Ｙピクセル座標格子の小さい方の表示領域に合わされている精密位置決め／移動モードへ切替えて、小さい方の表示領域内で精密位置決めおよび移動制御を実現することができる。
【００２３】
図２ではディスプレイユニット６の単一画面２２をデスクトップスペースとして示しているが、当然のことながら、ポインタ８が移動可能なタイル構成の複数画面２２をデスクトップスペースが含んでいてよい。従って、本明細書においてディスプレイユニット６の「画面」および「ディスプレイユニット６」は、１個以上の画面またはディスプレイモニタのデスクトップスペースを指すために用いる。ディスプレイユニット６は、タブレット４と共に使用できる任意の種類のディスプレイ画面を含んでいてよい。ディスプレイユニット６は、連結されたパソコンにより制御されても、あるいはタブレット４自身により制御されてもよい。
【００２４】
上述のスケーリング関係とは、タブレット４のＸ−Ｙ座標毎の、ディスプレイユニット６上のＸ−Ｙピクセル座標の個数を指す。これらの関係は、タブレット４上での移動により生じるディスプレイユニット６上の移動量を規定する。マッピングユニット１０は、程度の異なる位置決めまたは移動のための複数の変換機能またはスケーリング関係を保存することができる。
【００２５】
精密位置決めモードの倍率は１以上であっても、または好適には２以上であってもよい。一方、粗位置決めモードの倍率は１未満であってよい。
【００２６】
例えば、マッピングユニット１０は、タブレットの４インチ×５インチのＸ−Ｙ座標格子が、デスクトップスペースの８インチ×１０インチのＸ−Ｙピクセル座標格子に合わされている第１のスケーリング関係を含んでいてよい。この場合、倍率は０．５である。本例のマッピングユニット１０はまた、タブレットの４インチ×５インチのＸ−Ｙ座標格子が、デスクトップスペースのＸ−Ｙピクセル座標格子の３インチ×３．７５インチの領域に合わされている第２のスケーリング関係を含んでいてよい。この場合、倍率は約１．３３である。第２のスケーリング関係はユーザーにより、精密位置決め／移動に対する選択に従い予め設定され格納されてよい。
【００２７】
マッピングユニット１０は、ディスプレイユニット６の一部、タブレット４の一部、またはタブレット４とディスプレイユニット６とを連結するパーソナルコンピュータの一部として実現することができる。マッピングユニット１０はまた、コンピュータ可読記録媒体上のコンピュータ可読コードとして具体化することができる。コンピュータ可読記録媒体は、後でコンピュータシステムにより読み込み可能なデータを格納できる任意のデータ記憶装置であってよい。コンピュータ可読記録媒体の例として、読出し専用メモリ（ＲＯＭ）、ランダムアクセスメモリ（ＲＡＭ）、ＣＤ−ＲＯＭ、磁気テープ、フロッピー（登録商標）ディスク、光学データ記憶装置、および搬送波（インターネット経由でのデータ送信等）が含まれる。
【００２８】
図１〜３に最も良く示すように、入力装置１２は、マッピングユニット１０を制御してスケーリング関係を切替える。入力装置１２は、スケーリング関係が切替えられる都度、画面領域の原点および／または縮尺を再計算することができる。ユーザーが位置指示装置１４をしっかりと持ち、入力装置１２がマッピングユニット１０にモードを切替えさせるとき、ポインタ８は画面２２上で移動しない。このポインタが同じ位置にあり続けることにより、ユーザーは、タブレット４がグラフィックスアプリケーションで使用されているのと同時に中断することなく、位置決め／移動モードの間をシームレスに行き来できる。
【００２９】
入力装置１２は、バイナリ物理入力装置、例えば図３に示すタブレット４上にあるボタン１８、または図３に示す位置指示装置１４上にあるボタン２０であってよい。あるいは、入力装置１２はパソコンのキーボード上のホットキー、スイッチ、ホイール等であってよい。図３に最も良く示すように、入力装置１２がユーザーから容易にアクセス可能な場所に位置付けられることにより、スケーリング関係または位置決め／移動モードは、タブレット４および位置指示装置１４がリアルタイムに動作する間に「オンザフライ」に切替えることができる。その結果、ユーザーは、縮尺パラメータを変更するためにコントロールパネル設定画面、メニュー設定画面、またはダイアログボックスまでナビゲートして複数の選択コマンドを入力することを要求されない。
【００３０】
本発明の一実施形態によれば、ボタン１８または２０はマッピングユニット１０の動作モード変更用のトグルボタンであり、ボタン１８または２０が押下される都度動作モードが変わる。
【００３１】
あるいは、ボタン１８または２０を押下された状態に維持または保持して精密位置決め／移動モードで動作させ、解放することで粗位置決め／移動モードに復帰させてもよい。この場合、ユーザーはマッピングユニット１０の現在の位置決め／移動モードを常に認識している。
【００３２】
ユーザーによる位置決め／移動モードの切替えが簡単であることは、大型のデスクトップスペースを用いる描画またはグラフィックデザインアプリケーションで特に有用である。この場合、ユーザーは素早く且つ簡単に位置決め／移動モードを切替えて、異なる細かさで描画すること、または図２に示すポインタ８を移動させることができる。
【００３３】
図４に最も良く示すように、タブレット４からの位置データをディスプレイユニット６の位置データにマッピングする方法はステップＳ２６で開始される。ステップＳ２６において、マッピングユニット１０により所定の初期スケーリング関係に基づいてタブレット座標がディスプレイ座標にマッピングされる。ステップＳ２８において、マッピングユニット１０の動作を切替えるべく入力装置１２が作動しているか否かが判定される。ステップＳ２８において入力装置１２が作動していると判定されたならば、ステップＳ３０においてマッピングユニット１０により所定の代替スケーリング関係に基づいてタブレット座標がディスプレイ座標にマッピングされる。このステップでは、マッピングユニット１０は、図２に示すポインタ８の現在位置の周囲に移動ウインドウを形成する。ステップＳ２８で入力装置１２が作動していないと判定されたならば、マッピングユニット１０は引き続き初期の関係に基づいてタブレット座標をディスプレイ座標にマッピングする。
【００３４】
ステップＳ３２において、入力装置が動作を停止しているか否かが判定される。ステップＳ３２で入力装置が動作を停止していると判定されたならば、ステップＳ２６において初期の所定スケーリング関係に復帰する。さもなければ、ステップＳ３０で、もう一方のスケーリング関係を用いて動作が続けられる。
【００３５】
本明細書の記述は第１と第２のスケーリング関係、および粗と精密位置決め／移動モードについて述べているが、本発明では３種以上のスケーリング関係または位置決め／移動モードを用いてもよいものと理解されたい。
【００３６】
更に、本発明の実施形態はデジタイザシステム２のタブレット２に関して述べているが、本発明がタブレットのかわりにデスクトップまたは画面上のカーソルまたはポインタを移動させるために用いる他の動き入力装置と共に利用できる点も理解されたい。いくつかの他の例示的な動き入力装置として、マウス、ジョイスティック、トラックボール等が含まれるが、これらに限定されない。
【００３７】
本発明のいくつかの実施形態を図示および記述してきたが、添付の請求項および均等物により範囲を規定する本発明の原理および概念から逸脱することなく、これらの実施形態に変更を加え得ることを当業者は理解するであろう。
【符号の説明】
【００３８】
２・・・デジタイザシステム、４・・・タブレット、６・・・ディスプレイユニット、８・・・ポインタ、１０・・・マッピングユニット、１２・・・入力装置、１４・・・位置指示装置、１６・・・タブレット検知面、１８、２０・・・ボタン、２２・・・画面、２４・・・移動ウインドウ
【図１】
2014099200.tif 000003
【図２】
2014099200.tif 000004
【図３】
2014099200.tif 000005
【図４】
2014099200.tif 000006